(57)【要約】【課題】耐久性に優れた野球用ヘルメットを提供する。【解決手段】野球用ヘルメットは、外殻部材と内層部材と補強シート部材１３とを備える。外殻部材は、半球殻状の本体部２と、本体部２に接続された庇部と、庇部と隣接した位置において本体部２に接続された耳保護部４とを含む。内層部材は、外殻部材の内周側に積層され、少なくとも本体部２から耳保護部４にまで延びる発泡体樹脂からなる。補強シート部材１３は、内層部材の内周表面上において、耳保護部４の内周側に位置する領域から本体部２の内周側に位置する領域にまで延在し、内層部材より硬度が高い。耳保護部４と本体部２との境界部の内周側に位置する領域では、補強シート部材１３において本体部２側から耳保護部４側に向けて延びる凹凸部（補強リブ部２１）が形成されている。【選択図】図６
2015008891.tif 000002
【特許請求の範囲】
【請求項１】
半球殻状の本体部と、前記本体部に接続された庇部と、前記庇部と隣接した位置において前記本体部に接続された耳保護部とを含む外殻部材と、
前記外殻部材の内周側に積層され、少なくとも前記本体部から前記耳保護部にまで延びる発泡体樹脂からなる内層部材と、
前記内層部材の内周表面上において、前記耳保護部の内周側に位置する領域から前記本体部の内周側に位置する領域にまで延在し、前記内層部材より硬度の高い補強シート部材とを備え、
前記耳保護部と前記本体部との境界部の内周側に位置する領域では、前記補強シート部材において前記本体部側から前記耳保護部側に向けて延びる凹凸部が形成されている、野球用ヘルメット。
【請求項２】
前記外殻部材の厚みは０．２ｍｍ以上１．５ｍｍ以下であり、
前記外殻部材と前記内層部材とは一体に成形されている、請求項１に記載の野球用ヘルメット。
【請求項３】
前記補強シート部材は、前記耳保護部の内周側に位置する前記内層部材において前記本体部から最も離れた部分から、前記内層部材の外周部における前記庇部側の部分を介して前記本体部の内周側に位置する前記内層部材上にまで延びる帯状体である、請求項１または２に記載の野球用ヘルメット。
【請求項４】
前記補強シート部材は、前記耳保護部の内周側に位置する前記内層部材の端面上にまで延び、前記外殻部材と接続されている、請求項３に記載の野球用ヘルメット。
【発明の詳細な説明】
【技術分野】
【０００１】
この発明は、野球用ヘルメットに関し、より特定的には耳保護部を有する野球用ヘルメットに関する。
【背景技術】
【０００２】
従来、野球において打者が被る野球用ヘルメットが知られている（たとえば、特開２０１３−３４７４７号公報参照）。特開２０１３−３４７４７号公報においては、本体部と耳保護部と庇部とを含む外殻と、当該外殻の内周側に配置された発泡体樹脂と、耳保護部に配置された発泡体樹脂の内周側に配置された樹脂製の内側シェルとを備える野球用ヘルメットが開示されている。
【先行技術文献】
【特許文献】
【０００３】
【特許文献１】特開２０１３−３４７４７号公報
【発明の概要】
【発明が解決しようとする課題】
【０００４】
上述した従来の野球用ヘルメットでは、使用者が野球用ヘルメットを装着するときに耳保護部を広げる動作を行なうことに対する耐久性を高めるために内側シェルが配置されている。しかし、発明者の検討によればこのような内側シェルを配置するだけでは野球用ヘルメットの耐久性が不十分である場合があった。
【０００５】
この発明は、上記のような課題を解決するためになされたものであり、この発明の目的は、耐久性に優れた野球用ヘルメットを提供することである。
【課題を解決するための手段】
【０００６】
この発明に従った野球用ヘルメットは、外殻部材と内層部材と補強シート部材とを備える。外殻部材は、半球殻状の本体部と、本体部に接続された庇部と、庇部と隣接した位置において本体部に接続された耳保護部とを含む。内層部材は、外殻部材の内周側に積層され、少なくとも本体部から耳保護部にまで延びる発泡体樹脂からなる。補強シート部材は、内層部材の内周表面上において、耳保護部の内周側に位置する領域から本体部の内周側に位置する領域にまで延在し、内層部材より硬度が高い。耳保護部と本体部との境界部の内周側に位置する領域では、補強シート部材において本体部側から耳保護部側に向けて延びる凹凸部が形成されている。
【発明の効果】
【０００７】
本発明によれば、耐久性に優れた野球用ヘルメットを提供することができる。
【図面の簡単な説明】
【０００８】
【図１】本発明に従った野球用ヘルメットの実施の形態を示す斜視模式図である。
【図２】図１に示した野球用ヘルメットの正面模式図である。
【図３】図１に示した線分ＩＩＩ−ＩＩＩにおける断面模式図である。
【図４】図１に示した線分ＩＶ−ＩＶにおける断面模式図である。
【図５】図１に示した野球用ヘルメットの耳保護部の構造を説明するための模式図である。
【図６】図１に示した野球用ヘルメットの耳保護部の構造を説明するための拡大模式図である。
【図７】耳保護部と本体部との接続部の構造を説明するための模式図である。
【発明を実施するための形態】
【０００９】
以下、図面に基づいて本発明の実施の形態を説明する。なお図面において同一または相当する部分には同一の参照番号を付しその説明は繰返さない。
【００１０】
図１〜図７を参照して、本発明による野球用ヘルメットの実施の形態を説明する。
図１〜図７を参照して、本発明による野球用ヘルメット１は、半球殻状の本体部２と、この本体部２の開口部側から一方向（前方向）に突出する庇部３と、庇部３に隣接した位置（本体部２の横方向）において本体部２に接続された耳保護部４とを含む外殻部材１１（図３参照）と、この外殻部材１１の内周側に配置された発泡体樹脂からなる内層部材１２と、耳保護部４の内周側においてこの内層部材１２を部分的に覆う補強シート部材１３とを備える。
【００１１】
補強シート部材１３は、図５〜図７に示すように、耳保護部４に位置する内層部材１２の外周１４を覆うとともに、本体部２に位置する内層部材１２の内周１５にまで延びている。補強シート部材１３は、内層部材１２の耳保護部４における外周１４の端面１６を覆うとともに、耳保護部４の庇部３側の外周(耳保護部４に位置する内層部材１２の外周１４）に沿って延び、耳保護部４と庇部３との境界部の内側を通って本体部２に位置する内層部材の内周１５にまで延びる帯状体である。また、異なる観点から言えば、補強シート部材１３は、耳保護部４の外周１４に沿って延び、さらに耳保護部４と庇部３との境界端面１７を覆わずに本体部２の内周１５にまで延びる帯状体である。
【００１２】
このような帯状体である補強シート部材１３が耳保護部４の特に外周部に沿って配置されているため、野球用ヘルメット１を使用者が装着するときに耳保護部４を持って耳保護部４を広げようとする際に、耳保護部４の外周部において発泡体樹脂からなる内層部材１２を直接使用者が押圧することがない（補強シート部材１３の上に使用者の指が位置することになる）。このため、野球用ヘルメット１の耳保護部４における内層部材１２が使用者の手により損傷を受ける可能性を低減できる。
【００１３】
また、図６および図７に示すように、耳保護部４と本体部２との境界部には、当該境界部に沿って隣接するように凹凸部(補強リブ部２１）が形成されている。また、異なる観点から言えば、補強シート部材１３では、本体部２から耳保護部４に向けて複数の（図６では３つの）補強リブ部２１が形成された状態となっている。補強シート部材１３の一部が塑性変形することにより、当該補強リブ部２１が形成されている。補強リブ部２１では、補強シート部材１３の形状が図６などに示すように凹凸形状となっているとともに、補強シート部材１３の下に位置する内層部材１２の表面形状も補強リブ部２１の形状に沿って凹凸形状となっている。なお、図６および図７に示すように、本体部２と耳保護部４との境界部においては、補強シート部材１３に隣接する位置において内層部材１２の表面に凹凸形状（補強リブ部２１と同様の形状）が形成されている。このような構成により、本体部２と耳保護部４との境界部の強度を高めることができる。
【００１４】
また、補強シート部材１３は、耳保護部４と庇部３との境界部において耳保護部４の内周側に延びる。さらに、当該耳保護部４の内周側の一部分から補強リブ部２１を介して本体部２側へと延びるように補強シート部材１３が形成されている。このようにすれば、耳保護部４と庇部３との境界部における強度を補強シート部材１３に形成された凹凸部（補強リブ部２１）により高めることになるため、野球用ヘルメット１の耐久性をより高めることができる。
【００１５】
次に、図１〜図５に示した野球用ヘルメット１の製造方法を簡単に説明する。野球用ヘルメット１の製造方法では、まず外殻部材１１を準備する。外殻部材１１の製造方法としては、任意の方法を用いることができるが、たとえば真空成形法、圧空成形法、射出成形法などを用いることができる。次に、内層部材１２を外殻部材１１の内周側に配置する工程を実施する。この工程においても任意の方法を用いることができるが、たとえば、内層部材１２の形状に対応した型の内部に外殻部材１１を配置し、内層部材１２の原料（発泡性の樹脂など）を型の内部に注入し発泡させることで、内層部材１２を外殻部材１１の内周側に固着させることもできるし、内層部材１２と外殻部材１１を別に準備し、接着剤や両面テープ等の固定部材で固定してもよい。その後、内層部材１２の内周表面上における所定の位置に補強シート部材１３を固定する。ここで、補強シート部材１３を内層部材１２に固定する方法は、任意の方法を用いることができるが、たとえば接着剤や両面テープなどを用いて内層部材１２へ補強シート部材１３を固定してもよい。
【００１６】
なお、内層部材１２を外殻部材１１の内周側に配置する工程において、型の内部の所定の位置に予め成形した補強シート部材１３を配置しておくことで、補強シート部材１３を内層部材１２に対して固定する工程を同時に行なってもよい。このようにして、図１〜図５に示した野球用ヘルメット１を得ることができる。
【００１７】
ここで、上述した実施の形態と一部重複する部分もあるが、本発明の特徴的な構成を列挙する。
【００１８】
この発明に従った野球用ヘルメット１は、外殻部材１１と内層部材１２と補強シート部材１３とを備える。外殻部材１１は、半球殻状の本体部２と、本体部２に接続された庇部３と、庇部３と隣接した位置において本体部２に接続された耳保護部４とを含む。内層部材１２は、外殻部材１１の内周側に積層され、少なくとも本体部２から耳保護部４にまで延びる発泡体樹脂からなる。補強シート部材１３は、内層部材１２の内周表面上において、耳保護部４の内周側に位置する領域から本体部２の内周側に位置する領域にまで延在し、内層部材１２より硬度が高い。耳保護部４と本体部２との境界部の内周側に位置する領域では、補強シート部材１３において本体部２側から耳保護部４側に向けて延びる凹凸部（補強リブ部２１）が形成されている。
【００１９】
このようにすれば、本体部２と耳保護部４との境界部が補強シート部材１３および当該補強シート部材１３に形成された凹凸部（補強リブ部２１）により補強されているので、野球用ヘルメット１を使用者が装着するときに耳保護部４を広げるような動作を行なった場合に本体部２と耳保護部４との境界部が破損する可能性を低減できる。
【００２０】
上記野球用ヘルメット１において、外殻部材の厚みは０．２ｍｍ以上１．５ｍｍ以下であってもよく、外殻部材１１と内層部材１２とは一体に成形されていてもよい。この場合、外殻部材１１の厚みを従来より薄くして野球用ヘルメット１の重さを軽くするとともに、外殻部材１１と内層部材１２との両方により野球用ヘルメット１の強度を維持することができる。
【００２１】
上記野球用ヘルメット１において、補強シート部材１３は、耳保護部４の内周側に位置する内層部材１２において本体部２から最も離れた部分(下端）から、内層部材１２の外周部における庇部３側の部分を介して本体部２の内周側に位置する内層部材１２上にまで延びる帯状体であってもよい。この場合、耳保護部４の下端や外周部を補強シート部材１３により保護することができるので、当該下端を使用者が持って耳保護部４を広げるような動作を行なったときに内層部材１２の下端が損傷を受ける可能性を低減できる。また、上記のような内層部材１２の損傷を抑制する補強シート部材１３の部分が、耳保護部４の外周部を介して耳保護部４と本体部２との境界部に位置する補強シート部材１３の部分と一体化している（１つの帯状体となっている）ので、野球用ヘルメット１を製造するときに補強シート部材１３が複数個のパーツに分割されている場合より製造工程を簡略化できる。
【００２２】
上記野球用ヘルメット１において、補強シート部材１３は、耳保護部４の内周側に位置する内層部材１２の端面１６上にまで延びていてもよい。この場合、耳保護部４における内層部材１２の内周表面に加えて端面も補強シート部材１３により保護することができる。したがって、野球用ヘルメット１が地面やベンチ上などに置かれた場合に、耳保護部４における内層部材１２の端面が地面などと接触することにより損傷を受けることを防止できる。
【００２３】
上記外殻部材１１の材料は、たとえばポリカーボネイト、ポリオレフィン、アクリロニトリル・ブタジエン・スチレン共重合体などを用いることができる。また、外殻部材１１の厚みは、好ましくは０．２ｍｍ以上１．５ｍｍ以下、より好ましくは０．４ｍｍ以上１．２ｍｍ以下である。なお、外殻部材１１の厚みが０．２ｍｍ未満である場合、土砂などと外殻部材１１が接触した場合の摩耗や衝撃に対する強度が十分ではなくなる。また、外殻部材１１の厚みが１．５ｍｍを超えると、外殻部材１１に設ける通気孔のための切削などの加工が困難になる。
【００２４】
上記内層部材１２の材料は、たとえばポリウレタン、ポリスチレン、ポリオレフィンなどの発泡体を用いることができる。内層部材１２の厚みは、たとえば４ｍｍ以上２５ｍｍ以下、より好ましくは８ｍｍ以上２０ｍｍ以下である。なお、内層部材１２の厚みが４ｍｍ未満である場合、成形不良なども考えられ強度が十分ではなくなる。また、内層部材１２の厚みが２５ｍｍを超えると、野球用ヘルメット１全体が大きくなり軽量性が損なわれる。
【００２５】
上記補強シート部材１３の材料は、たとえばポリカーボネイト、ポリオレフィン、アクリロニトリル・ブタジエン・スチレン共重合体などを用いることができる。補強シート部材１３の厚みは、たとえば０．２ｍｍ以上１．５ｍｍ以下、より好ましくは０．４ｍｍ以上１．２ｍｍ以下である。なお、補強シート部材１３の厚みが０．２ｍｍ未満である場合、使用者が耳保護部４を広げるような動作に対する強度が十分ではなくなる。また、補強シート部材１３の厚みが１．５ｍｍを超えると、内層部材１２の形状に合わせるための切削などの加工が困難になる。
【００２６】
補強シート部材１３は、内層部材１２と一体に成形されることで内層部材１２に固定されていてもよいが、内層部材１２を成形した後補強シート部材１３を接着剤やねじなど任意の固定部材により内層部材１２に固定してもよい。また、補強シート部材１３は、庇部３と耳保護部４との境界部に位置する内層部材１２の端面（境界端面１７）を覆うことなく、耳保護部４の内周側から本体部２の内周側にまで延びていてもよい。
【００２７】
また、補強シート部材１３の外周部の一部は、外殻部材１１の外周部（耳保護部４の外周部）と対向する位置にまで延びていてもよい。すなわち、図３に示すように、補強シート部材１３の外周部の一部は、外殻部材１１の外周部と対向するように（たとえば互いに接触するように）配置されていてもよい。なお、補強シート部材１３の外周部の少なくとも一部は、外殻部材１１の外周部と部分的に重なるように配置されていてもよい。
【００２８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２９】
この発明は、耳保護部を有する野球用ヘルメットに特に有利に適用される。
【符号の説明】
【００３０】
１  野球用ヘルメット、２  本体部、３  庇部、４  耳保護部、１１  外殻部材、１２  内層部材、１３  補強シート部材、１４  外周、１５内周、１６  端面、１７  境界端面、２１  補強リブ部。
【図１】
2015008891.tif 000003
【図２】
2015008891.tif 000004
【図３】
2015008891.tif 000005
【図４】
2015008891.tif 000006
【図５】
2015008891.tif 000007
【図６】
2015008891.tif 000008
【図７】
2015008891.tif 000009